(57)【要約】【課題】情報を記憶し流通や在庫管理、盗難防止に機能する非接触ＩＣタグ付き中綴じ本とその製造方法を提供する。【解決手段】本発明の非接触ＩＣタグ付き中綴じ本１は、添付される本の当該本に関する情報を記憶し、所定周波数の電波により外部リーダライタと交信する非接触ＩＣタグ２付き中綴じ本において、当該非接触ＩＣタグが表紙４ａまたは裏表紙４ｃの内面側に保持されており、さらに外部から視認できないように、表紙または裏表紙の内面と見返し６間を貼着したことを特徴とする。非接触ＩＣタグ２は、本文中の隣接する２枚の本文頁間を合紙するようにして保持させても良い。【選択図】    図１
2004249488.tif 000002
【特許請求の範囲】
【請求項１】
添付される本の当該本に関する情報を記憶し、所定周波数の電波により外部リーダライタと交信する非接触ＩＣタグ付き中綴じ本において、当該非接触ＩＣタグが表紙の内面側に保持されており、さらに外部から視認できないように、表紙の内面と見返し間を貼着したことを特徴とする非接触ＩＣタグ付き中綴じ本。
【請求項２】
添付される本の当該本に関する情報を記憶し、所定周波数の電波により外部リーダライタと交信する非接触ＩＣタグ付き中綴じ本において、当該非接触ＩＣタグが裏表紙の内面側に保持されており、さらに外部から視認できないように、裏表紙の内面と見返し間を貼着したことを特徴とする非接触ＩＣタグ付き中綴じ本。
【請求項３】
添付される本の当該本に関する情報を記憶し、所定周波数の電波により外部リーダライタと交信する非接触ＩＣタグ付き中綴じ本において、当該非接触ＩＣタグが本文中の隣接する２枚の頁間を合紙した本文頁内に保持されていることを特徴とする非接触ＩＣタグ付き中綴じ本。
【請求項４】
保持する非接触ＩＣタグが基材に形成したコイル状アンテナにＩＣチップを装着したものであることを特徴とする請求項１から請求項３のいずれか１の請求項に記載の非接触ＩＣタグ付き中綴じ本。
【請求項５】
保持する非接触ＩＣタグが基材に形成した非ループ状アンテナパターンにＩＣチップ実装ラベルを装着したものであることを特徴とする請求項１から請求項３のいずれか１の請求項に記載の非接触ＩＣタグ付き中綴じ本。
【請求項６】
非接触ＩＣタグ付き中綴じ本の製造方法であって、
▲１▼中綴じ丁合工程における最終折丁の表紙または裏表紙側見返し外面にホットメルト接着剤を塗工する工程、
▲２▼表紙または裏表紙側見返し外面の前記塗工したホットメルト接着剤部分に、非接触ＩＣタグラベルを貼着する工程、
▲３▼折丁に表紙をくるみ、前記塗工したホットメルト接着剤により見返しと表紙または裏表紙を接着し、中綴じする工程、
を有することを特徴とする非接触ＩＣタグ付き中綴じ本の製造方法。
【請求項７】
非接触ＩＣタグ付き中綴じ本の製造方法であって、
▲１▼中綴じ丁合工程における１の折丁外面にホットメルト接着剤を塗工する工程、
▲２▼前記折丁外面に塗工したホットメルト接着剤部分に、非接触ＩＣタグラベルを貼着する工程、
▲３▼非接触ＩＣタグラベルを貼着した折丁の上に残りの折丁を重ね、前記塗工したホットメルト接着剤により本文頁間を接着する工程、
▲４▼折丁に表紙をくるみ中綴じする工程、
を有することを特徴とする非接触ＩＣタグ付き中綴じ本の製造方法。
【請求項８】
貼着する非接触ＩＣタグが基材に形成したコイル状アンテナにＩＣチップを装着したものであることを特徴とする請求項６または請求項７記載の非接触ＩＣタグ付き中綴じ本の製造方法。
【請求項９】
貼着する非接触ＩＣタグが基材に形成した非ループ状アンテナパターンにＩＣチップ実装ラベルを装着したものであることを特徴とする請求項６または請求項７記載の非接触ＩＣタグ付き中綴じ本の製造方法。
【発明の詳細な説明】
【０００１】
【発明の属する技術分野】
本発明は、非接触ＩＣタグ付き中綴じ本とその製造方法に関する。特に、中綴じ本において、外観からは視認できない状態に非接触ＩＣタグを取り付けた書籍・雑誌とその製造方法に関する。
従って、本発明の利用分野は、書籍・雑誌の製造や出版の分野に関する。
【０００２】
【従来技術】
近年、バーコードに代えて非接触で情報の読み出し及び書き込みが可能な非接触ＩＣタグ（ＲＦＩＤタグ、無線タグ、ＩＣタグ、非接触ＩＣ等と表現することもあるが本明細書では総称して、「非接触ＩＣタグ」とする。）を商品に付して市場で必要な様々な情報の管理を可能にすることが提案されている。
書籍・雑誌においても非接触ＩＣタグを取り付けて、万引き防止機能を付与するのみならず、それらの流通や在庫・販売時点においても必要な様々な情報の管理をすることが考えられている。
そのため、書籍・雑誌の販売段階でＩＣタグを取り付ける煩を避け、印刷または製本の工程で非接触ＩＣタグを取り付けることが必要とされる。
【０００３】
また、書籍・雑誌においては、非接触ＩＣタグが書籍の外部に付されている場合は、顧客や利用者の目につき、不快感を与えるという不都合がある。
特許文献１は、所定周波数の電磁波に共振して電磁波を発信すると共に動作の停止が可能な回路を有するタグが、書籍本体の表紙内部または背部内側の外側から見えない位置に書籍本体と一体に設けられてなる盗難防止機能付き書籍を提案している。
しかし、かかる書籍は盗難防止にはある程度機能するとしても、書籍に関する情報を記憶することができないので、書籍・雑誌の情報管理や販売管理等に役立てることができない。
【０００４】
特許文献２は、表紙や表紙背部の内面に、磁性体からなるシート状タグが貼着されている盗難防止機能付き本を提案している。
しかし、同公報において表紙に貼着する場合は、単に表紙の内面側に貼着するだけであるので表紙を開けばシート状タグが見えてしまう問題がある。また、背表紙の狭い幅内に貼着する場合は、外部からは見えないかも知れないが、タグの形状が一定のものに限られ、通信距離を大きく確保する非接触ＩＣタグの貼着には不十分な面積である。
特許文献３は、背表紙の内側にＩＣタグをホットメルトにより接着することを提案している。しかし、非接触ＩＣタグの形状が大きい場合は、背表紙の内側に納めることはやはり困難である。また、中綴じには不向きである。
【０００５】
【特許文献１】実用新案登録第２５６６１８１号
【特許文献２】特開平５−２７０１７０号公報
【特許文献３】特開２００２−３２６４７４号公報
【０００６】
【発明が解決しようとする課題】
そこで、本発明では書籍・雑誌に関する情報の記録および読み出しが可能な非接触ＩＣタグを、外観からは視認不可能な状態に取り付けすることを研究して本発明の完成に至ったものである。
【０００７】
【課題を解決するための手段】
上記課題を解決するための本発明の要旨の第１は、添付される本の当該本に関する情報を記憶し、所定周波数の電波により外部リーダライタと交信する非接触ＩＣタグ付き中綴じ本において、当該非接触ＩＣタグが表紙の内面側に保持されており、さらに外部から視認できないように、表紙の内面と見返し間を貼着したことを特徴とする非接触ＩＣタグ付き中綴じ本、にある。
【０００８】
上記課題を解決するための本発明の要旨の第２は、添付される本の当該本に関する情報を記憶し、所定周波数の電波により外部リーダライタと交信する非接触ＩＣタグ付き中綴じ本において、当該非接触ＩＣタグが裏表紙の内面側に保持されており、さらに外部から視認できないように、裏表紙の内面と見返し間を貼着したことを特徴とする非接触ＩＣタグ付き中綴じ本、にある。
【０００９】
上記課題を解決するための本発明の要旨の第３は、添付される本の当該本に関する情報を記憶し、所定周波数の電波により外部リーダライタと交信する非接触ＩＣタグ付き中綴じ本において、当該非接触ＩＣタグが本文中の隣接する２枚の頁間を合紙した頁内に保持されていることを特徴とする非接触ＩＣタグ付き中綴じ本、にある。
【００１０】
上記中綴じ本において、保持する非接触ＩＣタグが基材に形成したコイル状アンテナにＩＣチップを装着したもの、または、保持する非接触ＩＣタグが基材に形成した非ループ状アンテナパターンにＩＣチップ実装ラベルを装着したもの、とすることができる。
【００１１】
上記課題を解決するための本発明の要旨の第４は、非接触ＩＣタグ付き中綴じ本の製造方法であって、▲１▼中綴じ丁合工程における最終折丁の表紙または裏表紙側見返し外面にホットメルト接着剤を塗工する工程、▲２▼表紙または裏表紙側見返し外面の前記塗工したホットメルト接着剤部分に、非接触ＩＣタグラベルを貼着する工程、▲３▼折丁に表紙をくるみ、前記塗工したホットメルト接着剤により見返しと表紙または裏表紙を接着し、中綴じする工程、を有することを特徴とする非接触ＩＣタグ付き中綴じ本の製造方法、にある。
【００１２】
上記課題を解決するための本発明の要旨の第５は、非接触ＩＣタグ付き中綴じ本の製造方法であって、▲１▼中綴じ丁合工程における１の折丁外面にホットメルト接着剤を塗工する工程、▲２▼前記折丁外面に塗工したホットメルト接着剤部分に、非接触ＩＣタグラベルを貼着する工程、▲３▼非接触ＩＣタグラベルを貼着した折丁の上に残りの折丁を重ね、前記塗工したホットメルト接着剤により本文頁間を接着する工程、▲４▼折丁に表紙をくるみ中綴じする工程、を有することを特徴とする非接触ＩＣタグ付き中綴じ本の製造方法、にある。
【００１３】
上記中綴じ本の製造方法において、貼着する非接触ＩＣタグが基材に形成したコイル状アンテナにＩＣチップを装着したもの、または、貼着する非接触ＩＣタグが基材に形成した非ループ状アンテナパターンにＩＣチップ実装ラベルを装着したもの、とすることができる。
【００１４】
【発明の実施の形態】
図１は、非接触ＩＣタグを表紙内面の見返し面に保持させた非接触ＩＣタグ付き中綴じ本の外観図、図２は、非接触ＩＣタグを本文頁間に保持させた中綴じ本の外観図、である。図３は、中綴じ本の製造工程を示す図、図４は、誘導結合型アンテナを有するラベル状非接触ＩＣタグの例を示す図、図５は、静電結合型アンテナを有するラベル状非接触ＩＣタグの例を示す図、である。
【００１５】
非接触ＩＣタグを表紙内面の見返し面に保持させた中綴じ本の実施形態の例は、図１のようになる。この場合は静電結合型アンテナを有するラベル状非接触ＩＣタグ２を使用している。
非接触ＩＣタグ２は、アンテナパターン２ｃ，２ｄを基材２ｆ面に形成し、当該アンテナパターン２ｃ，２ｄにＩＣチップ実装ラベル３を装着した形態からなるので、中綴じ本１に保持させる場合は、基材２ｆの背面に粘着剤を付与するか、あるいは折丁５の見返し６面にホットメルト接着剤を塗布して貼着する。
なお、上製本では表紙と折丁の間に比較的に強度のある紙の見返しを使用するが、折丁の場合は見返しに相当する紙面を有していない。そこで、本発明では折丁の表紙または裏表紙に面する側の用紙を見返しと表現している。
【００１６】
図１の場合、非接触ＩＣタグ２は見返し６面の表紙４ａ側に貼着されていて、表紙４ａは一部破断状態で図示されている。見返し６の小口側周囲を表紙４ａの内面に接着しているので、非接触ＩＣタグ２は外観からは視認できないようになっている。本の背側は綴じ針９により中綴じされている。
裏表紙４ｃには非接触ＩＣタグ２は現われないので、裏表紙４ｃの内面と見返し間は接着しなくても良い。
なお、非接触ＩＣタグは静電結合型アンテナのものではなく、図４図示のように基材にコイル状アンテナ２ｂを形成し、これにＩＣチップ２ａを装着した誘導結合型のものであっても良い。
【００１７】
非接触ＩＣタグを本文頁間に保持させた中綴じ本の例は、図２のようになる。この場合は、誘導結合型アンテナ２ｂを有する非接触ＩＣタグ２が示されている。非接触ＩＣタグ２は本文頁１０中の隣接する前後２頁間を貼着し、その間に保持されている。実際は、非接触ＩＣタグ２は書籍・雑誌の外観からは見えないから、図２は本文頁１０の一部を破断した状態を示すものである。
本文頁間を貼着するのは本文中のどこでも構わないが、製本加工の工程上からは１の折丁の外面頁とその上に積み重ねる他の折丁の内面頁との間になる。折丁を積み重ねる間において、１の折丁の外面にホットメルト接着剤を塗布して、非接触ＩＣタグを接着し、続いて他の折丁を重ねる工程を行うからである。
【００１８】
本発明の非接触ＩＣタグ付き中綴じ本は、上記のように外観からはＩＣタグの存在を視認することができないので、書籍の内容を確認したり購入する際の購入者に不安感や不快感を与えることがない。また、非接触ＩＣタグが盗難防止に用いられる場合に、警報機が動作しないように非接触ＩＣタグを悪意で剥離してしまうような行為を防止する上にも有効となる。
【００１９】
従来の針金状の磁気タグや共振タグの場合は、それ自体あまり大きなサイズではないので背表紙のような狭い面積内に貼着できるが、非接触ＩＣタグで通信距離を大きく取る場合はアンテナサイズも大きくなる。上記のような実施形態にすることで、ＩＣタグサイズの制約が緩和される。
【００２０】
誘導結合型アンテナを有するラベル状非接触ＩＣタグの例は、図４のようになる。非接触ＩＣタグ２は、図４のように、アンテナコイル２ｂにＩＣチップ２ａを装着している。基材２ｆには、厚み１５〜２００μｍ程度のポリエチレンテレフタレート（ＰＥＴ）フィルム等を使用する。
アンテナコイル２ｂは、基材２ｆにラミネートしたアルミ箔（厚み１０〜５０μｍ）をフォトエッチングして形成している。これにアンテナ面の保護フィルムを貼り合わせし、さらに粘着剤加工を施したラベル状のものが市販されている。
図示のもののアンテナサイズは、外形Ｈが７６ｍｍ、Ｗが４５ｍｍであり、コイル部分は幅約１ｍｍで６回巻きにされている。符号２ｋは、基材２ｆの背面を通じてコイルを導通させるための部材を示している。
アンテナコイル２ｂは、導電性インキによるプリント配線でも良く、また銅箔や金属捲線を使用するものでも良い。
【００２１】
実用的な通信距離を確保できる非接触ＩＣタグラベル２の大きさは、矩形状のエッチングコイルの場合で、アンテナコイル２ｂの外形が上記のように、７６ｍｍ×４５ｍｍ程度となる。この大きさであれば、表紙や裏表紙の面積内、あるいは本文頁に十分貼着できる。
ラベル化された非接触ＩＣタグ２は柔軟な基材に耐折り曲げ性のアンテナコイル２ｂが形成されているので、屈曲面や折り曲げ面に貼着しても機能を損なうことはない。
【００２２】
通信周波数は、１３．５６ＭＨｚ（ＩＳＯ１５６９３準拠）、１２５ｋＨｚ（中波）、２．４５ＧＨｚ（マイクロ波）、等であるが、近年、非接触ＩＣカードと兼用できる１３．５６ＭＨｚが用いられることが多い。
従来、１３．５６ＭＨｚにおける非接触ＩＣタグ用リーダライタ（無届けで使用できるもの）の出力は１Ｗ以下に制限されていたので、通信距離は２０ｃｍ程度のものであったが、平成１４年９月の電波法施行規則改正で制限条件が緩和された。これにより、５０〜７０ｃｍ、条件の良い場合は１ｍ程度の検知が可能になり、盗難防止ゲートや書棚検索でも効果的に使用できるようになっている。
【００２３】
静電結合型アンテナパターンのラベル状非接触ＩＣタグは、図５のようになる。この場合、あらかじめラベル状基材２ｆに導電性インキでアンテナパターンを印刷し、当該アンテナパターン間にＩＣチップ実装ラベル３を装着する。
実際には、ＩＣチップ実装ラベル３にも小型のアンテナパターン（不図示）が印刷されていて、当該小型のアンテナパターンを介してアンテナパターン２ｃと２ｄがＩＣチップ実装ラベル３のＩＣチップ２ａの両パッドに導通するようにされている。
【００２４】
この場合は、ラベル状の誘導結合型非接触ＩＣタグと同様に、基材２ｆの下面に粘着剤を塗工して、見返し面にラベラーで貼着して保持させることになる。
ＩＣチップ実装ラベルを使用する場合は、紙基材にアンテナパターンを印刷するものであっても良いが、一般に、導電性インキは印刷する基材の種類によってパターンの抵抗値が大きく変動する。例えば、コート紙と上質紙では同じ条件で印刷しても同一の抵抗値にはならない。従って、各種の紙基材に印刷する場合は安定した通信能力を確保できなくなり易い。その意味では、プラスチック等の一定の基材に印刷したラベル状のものが好ましいことになる。
【００２５】
アンテナパターン２ｃ，２ｄは、導電性カーボンインキやアルミ粉等による導電性インキで印刷したり、導電性ホットメルト接着剤による塗布パターンであってもよい。当該アンテナパターンの双方のアンテナパターン２ｃ，２ｄの接近位置に、ＩＣチップ実装ラベル３を装着する。ＩＣチップ実装ラベルには、モトローラ社の「Ｂｉｓｔａｔｉｘ」（商標）等を使用できる。
なお、「Ｂｉｓｔａｔｉｘ」の場合の周波数は、１２５ｋＨｚを使用する。
メモリ容量が１ｋｂｉｔ（１２８バイト）のもので、半角文字約１００字の記録が可能である。
【００２６】
次に、非接触ＩＣタグ付き中綴じ本の製造方法について説明する。非接触ＩＣタグ付き中綴じ本の製造工程の例は、図３のようになる。
中綴じした丁合本または折丁は通常の書籍・雑誌の工程により製本する。
工程１では、図示しないチェーン上を送られる折丁５の見返しにホットメルト接着剤８をホットメルトガン７の吹き付けにより行う（図３（Ａ））。
このようなホットメルトガンは、雑誌に対するＣＤ−ＲＯＭの装着等において既に実用されているものである。
ホットメルト接着剤８は非接触ＩＣタグ２の貼着と表紙用紙４の接着のためのもので、３〜４本のホットメルトラインを形成するように塗布する。
工程２では、折丁５の見返し面のホットメルトライン上にラベル状の非接触ＩＣタグ２の接着を行う（図３（Ｂ））。非接触ＩＣタグは送り出し用フィーダーから供給される。
折丁５はチェーン上を送られて表紙用紙４の取り付け工程に移動する。
【００２７】
工程３では、通常の中綴じ工程により表紙用紙４と折丁５の中綴じを綴じ針金で行うと同時に、見返しと表紙用紙４を前記ホットメルト接着剤８により接着する（図３（Ｃ））。
ホットメルトは加熱によって溶融すれば液状となり、塗布後の放冷によって短時間で固化する。したがって塗布後ある程度の接着強度の出現までの時間を短くすることができる。
天地裁断、小口裁断の三方裁断の工程を行って非接触ＩＣタグ付き中綴じ本１が完成する。
【００２８】
上記は、見返し６に非接触ＩＣタグ２を貼着する例を説明しているが、本文頁間に貼着する場合も同様な工程でできることは当業者には容易に想到することができる。すなわち、中綴じの場合は、折丁を積み重ねて完成するが、ギャザリングチェーン上における折丁の積み重ね工程で、１の折丁の外面に対して上記のように、ホットメルト接着剤塗布を行って非接触ＩＣタグを貼着し、さらに残りの折丁を積み重ねれば良い。
残りの折丁を積み重ねる際に、塗布したホットメルトにより隣接する本文頁間が接着するというものである。
【００２９】
非接触ＩＣタグには、その本の書店への納入日等を入力しておき、書店から返本があったときにいつ納入したものかを知ることより、古い在庫品の不正返本を防止することができる。また、書店のコード番号を入力しておき、万引き事件がおきた際に、当人が書店に入る前に所持していたものであると主張しているときに、その本がその書店にあったものであることを証明することもできる。
非接触ＩＣタグ付き本をもって書店出口をでるときに警報が発せられるようにする場合には、販売した本に対しては、レジで非接触ＩＣタグに入力した書店コード等を消去するような処理をして警報が発せられないようにする等のシステム構築が必要となる。
【００３０】
【実施例】
（実施例）
図１、図３、図４を参照して実施例を説明する。
コート紙７０ｇ／ｍ２  にオフセット輪転で印刷し、Ａ６版３８４ページ（折丁１２冊）分を準備した。丁合後は２４ｍｍ程度の厚みになるものである。
別に、表紙用紙４にトップコート紙（１２８ｇ／ｍ２  ）を使用してオフセット輪転印刷をした。
【００３１】
中綴じ工程において、最終折丁の外面（見返し面）であって表紙４ａ側面に、ホットメルトガン７を３台使用して、ホットメルト接着剤８を２〜３ｍｍの幅で３本吹き付け塗布した。ホットメルトラインの２本は、非接触ＩＣタグ２の貼着用に使用し、残りの１本は、表紙４ａと見返し間を接着するため小口に沿うように塗布した。
次いで、この見返し６の外面側に、図４図示のような、ラベル状非接触ＩＣタグ（大日本印刷株式会社製「Ａｃｃｕｗａｖｅ」（商標））を貼着した。この非接触ＩＣタグ２はアンテナサイズ７６×４５ｍｍの誘導結合アンテナのものである。
【００３２】
折丁５に表紙用紙４を中綴じする際に、同時にホットメルトにより折丁５の見返し６と表紙４ａの内面を貼り合わせるようにした。
最後に天地断裁、小口断裁の三方仕上げ裁ちして非接触ＩＣタグ付き中綴じ雑誌を完成した。
この非接触ＩＣタグ付き中綴じ本１に対して、小型ハンディ型リーダライタ（松下産業機器株式会社製）で書き込み、読み取り試験を行ったところ、リーダライタから２０ｃｍの距離で支障なく交信することが確認できた。
【００３３】
【発明の効果】
以上詳しく説明したように本発明によれば以下の効果が得られる。
本発明の非接触ＩＣタグ付き中綴じ本は、非接触ＩＣタグが外観からは視認できないように取り付けられているので、書籍・雑誌を購入する際の顧客に監視されているような不安感や不快感を与えることがない。
また、非接触ＩＣタグ付き本は、書籍や雑誌の流通や在庫管理を容易にし、販売時点の決済や情報管理にも有用となる。
また、本発明の非接触ＩＣタグ付き中綴じ本の製造方法によれば、このような中綴じ本を既存の設備を利用した簡易な工程で製造できる。
【図面の簡単な説明】
【図１】非接触ＩＣタグを表紙の内面の見返し面に保持させた非接触ＩＣタグ付き中綴じ本の外観図である。
【図２】非接触ＩＣタグを本文頁間に保持させた非接触ＩＣタグ付き中綴じ本の外観図である。
【図３】中綴じ本の製造工程の例を示す図である。
【図４】誘導結合型アンテナを有するラベル状非接触ＩＣタグの例を示す図である。
【図５】静電結合型アンテナを有するラベル状非接触ＩＣタグの例を示す図である。
【符号の説明】
１    非接触ＩＣタグ付き中綴じ本
２    非接触ＩＣタグ
２ａ  ＩＣチップ
２ｂ  アンテナコイル
２ｃ，２ｄ  アンテナパターン
３    ＩＣチップ実装ラベル
４    表紙用紙
４ａ  表紙
４ｃ  裏表紙
５    折丁
６    見返し
７    ホットメルトガン
８    ホットメルト接着剤
９    綴じ針
１０    本文頁
【図１】
2004249488.tif 000003
【図２】
2004249488.tif 000004
【図３】
2004249488.tif 000005
【図４】
2004249488.tif 000006
【図５】
2004249488.tif 000007